(57)【要約】      （修正有）【課題】ブレスレットの使用可能な長さを調整するための操作が容易な装置を備えたブレスレットの中留を提供する。【解決手段】三つ折れ式バックルを有するタイプであるブレスレットの中留１に関するものである。第１および第２のストリップを備え、このストリップが、着用向けの閉位置と少なくとも１つの開位置との間で、それぞれの第１の端部で互いにヒンジ式に取り付けられ、第１のストリップが、第１のブレスレットの駒に対する固定具２０を有し、第２の下のストリップが、第２の端部にループ２８を有し、ループが、第２のブレスレットの駒に対する凹部を形成するとともに、ブレスレットの駒の適切な穴に挿入されるようになっている突起３２を有する。【選択図】図４
2014108363.tif 000002
【特許請求の範囲】
【請求項１】
三つ折れ式バックルを有するタイプであるブレスレットの中留（１）であって、第１および第２のストリップ（２、４）を備え、前記ストリップが、着用向けの閉位置と少なくとも１つの開位置との間で、それぞれの第１の端部で互いにヒンジ式に取り付けられ、前記第１のストリップ（２）が、第１のブレスレットの駒に対する固定部材（２０）を有し、前記第２のストリップ（４）が、第２の端部にループ（２８）を有し、このループが、第２のブレスレットの駒に対する通路を規定するとともに、前記ブレスレットの駒の適切な穴に挿入されるようになっている突起（３２）を有して、前記中留（１）に対する前記ブレスレットの固定点を形成し、前記中留（１）がさらに、前記第１および第２のストリップ（２、４）を閉位置に保持するための少なくとも１つのロック部材（３８、４０）を備えた、中留において、前記ループ（２８）は、前記ブレスレットの長手方向に沿って実質的に一列に並んだ複数の場所（３０）を有し、この場所の各々が前記突起（３２）と協働することができ、前記突起が前記ループ（２８）と組み合わさるようにするとともに、前期ブレスレットの所定の使用可能な長さと関係のある固定点の所定の位置を形成することを特徴とする、中留。
【請求項２】
各々の前記場所（３０）は、前記ループ（２８）に構成された穴で形成し、前記突起（３２）は、前記穴と部分的に嵌合することができることを特徴とする、請求項１に記載の中留（１）。
【請求項３】
前記突起（３２）は、１つまたは他の前記場所（３０）に挿入することができることを特徴とする、請求項２に記載の中留（１）。
【請求項４】
各々の前記場所（３０）は、前記ループ（２８）を貫通する穴で形成され、前記突起（３２）は、前記場所（３０）のいずれかを貫通するねじ（３３）と協働するように構成されたねじ足の形状であることを特徴とする、請求項２に記載の中留（１）。
【請求項５】
前記第２のストリップ（４）は、前記ループ（２８）が実質的に前記ブレスレットの長手方向に備えた前記突起（３２）と同列に並んだ追加の突起（３６）を備えていることを特徴とする、請求項１から４のうちいずれか一項に記載の中留。
【請求項６】
前記第１のストリップ（２）は、前記ブレスレットの使用可能な長さを調整するための追加の装置であって、前記ループ（２８）が有する前記突起（３２）に対する前記固定具（２０）の位置を調整するように構成された装置（１２）を備えていることを特徴とする、請求項１から５のうちいずれか一項に記載の中留（１）。
【請求項７】
前記調整装置（１２）は、前記固定具（２０）を有するフレームであって、前記ブレスレットの長手方向に沿ったいくつかの位置の間を動くことのできるフレーム（１４、１５、５６）を備えていることを特徴とする、請求項６に記載の中留（１）。
【請求項８】
請求項１から７のうちいずれか一項に記載の中留（１）を備えるブレスレットを有する腕時計。
【発明の詳細な説明】
【技術分野】
【０００１】
本発明は、三つ折れ式バックルを有するタイプであるブレスレットの中留であって、第１および第２のストリップを備え、両ストリップが、着用向けの閉位置と少なくとも１つの開位置との間で、それぞれの第１の端部で互いにヒンジ式に取り付けられ、第１のストリップが、第１のブレスレットの駒に対する固定部材を有し、第２の下のストリップが、第２の端部にループを備え、このループが、第２のブレスレットの駒に対する通路を形成するとともに、ブレスレットの駒の適切な穴に挿入されるようになっている突起を有して、中留に対する固定点を形成し、中留がさらに、第１および第２のストリップを閉位置に保持するための少なくとも１つのロック部材を備えた中留に関する。
【０００２】
本発明は、このタイプの中留を備える腕時計にも関する。
【背景技術】
【０００３】
ブレスレットの使用可能な長さを調整するための装置を提供する必要性に関しては、公知の問題がある。
【０００４】
一方では、ブレスレットが連結具で形成されている場合、使用者の手首周りの長さの値は、連結具１つ分によって異なるブレスレットの２つの構成の長さの間の値となる。したがって、ブレスレットの使用可能な長さを調整するための装置を提供し、この装置によって、連結具を取り外したり付け加えたりするよりも的確にブレスレットの長さを調整できるようにすることが有益である。
【０００５】
他方では、手首周りの長さは、季節によって変化し、一般には夏に最大値に達し、冬に最小値に達することも知られている。この場合も、ブレスレットの使用可能な長さを的確に調整するための装置を提供し、この装置によって、ブレスレットの着用者がその長さを調整して、ブレスレット着用の快適さを向上できることが好ましい。
【０００６】
例として、欧州特許出願第０９１３１０６０Ａ１号には、ブレスレットを装着するための棒材の両端を収容する一連の穴の対を有するカバーを備える三つ折れ式バックルを備えた中留が開示されている。２対の隣接する穴は、前述の問題に対応して、ブレスレットの使用可能な長さを調整する１ピッチを規定する距離で隔てられている。
【０００７】
しかし、ブレスレットの長さを調整するためのこのタイプの装置は、カバー側から調節用の穴が見えるために外観上魅力的ではない。さらに、このタイプの中留を調整するには、先の尖った工具を穴に挿入して、ブレスレットを固定している棒材を圧縮する必要があるため、ある程度器用であることが要求され、調整を行う者が無器用であれば、カバーを損傷してしまうことがある。
【０００８】
このような状況を避けるために、これに代わる装置がすでに開示されており、例えば欧州特許第０３５０７８５Ｂ１号には、上記の中留と同様のものだが、代わりに、工具なしで操作できるブレスレットの使用可能な長さを調整するための装置を備えるものが開示されている。実際、この特許文献で開示されている中留は、三つ折り式バックルを備えるタイプのものであり、ピンを介して互いにヒンジ式に取り付けられた２つのストリップであって、ピンが両ブレードを貫通しているストリップを備えており、各々のストリップは、その端部で、ブレスレットに固定するための部材を有している。第１のストリップは、フックを有し、このフックは、第２のストリップに構成された穴と係合して、そこでばね受けと協働するようになっており、このばね受けによって、フック、およびこれに伴い中留を閉状態にロックすることができる。第２のストリップは、ブレスレットの使用可能な長さの調整ピッチを規定する所定範囲内で、互いに対してスライドできる２つの部分を備えている。この２つの部分のうちの第１の部分は、これを第１のストリップに連結するヒンジを有し、一方第２の部分は、ロックするばね受けを有している。フックが係合して中留をロックする穴は、ブレスレットの長手方向に沿った長さがあり、この長さは、第２のストリップの２つの部分のスライド範囲と同じである。ばね受けは、ブレスレットの長手方向に沿ってフックの２つの位置を規定する中央部分を有し、この２つの位置は、２つの異なるブレスレットの使用可能な長さとなる。制御部材が特にプッシャーを備えていることによって、ばね受けの作用でフックを解放でき、中留を開けることができる。
【０００９】
この構造にすることで生じる１つの欠点は、中留を開けるたびにブレスレットの長さを調整することが無駄である点に留意されたい。その結果、中留を閉めるたびに、ブレスレットの着用者は、フックが中央のばね受け部分側に挿入され、所望するブレスレットの長さと一致していることを確認しなければならない。
【００１０】
この種の欠点を回避するための代案として、特殊なロック部材を備える調整装置も提供されている。
【００１１】
欧州特許出願第１３７８１８５Ａ１号には、このような一例が記載されている。
【００１２】
しかし、このような装置は、中留をロックするために使用する少なくとも１つの制御部材と、調整装置をロックするための少なくとも１つの追加の制御部材と、一般には少なくとも１つの弾性復元部材と備える必要があるため、全体的に複雑であり、目立った構造である。
【先行技術文献】
【特許文献】
【００１３】
【特許文献１】欧州特許出願第０９１３１０６０Ａ１号
【特許文献２】欧州特許第０３５０７８５Ｂ１号
【特許文献３】欧州特許出願第１３７８１８５Ａ１号
【発明の概要】
【発明が解決しようとする課題】
【００１４】
本発明の主な目的は、構造が簡易で、中留を開けているときなどに、好ましくは安定した調整を実現し、ブレスレットの使用可能な長さを調整するための操作が容易な装置を備えたブレスレットの中留を提供して、先行技術で公知の中留の欠点を克服することである。
【課題を解決するための手段】
【００１５】
したがって、本発明は、さらに詳細には、前述したタイプのブレスレットの中留であって、ループは、ブレスレットの長手方向に沿って実質的に一列に並んだ複数の場所を有し、この場所の各々が突起と協働することができ、突起がループと組み合わさるようにするとともに、ブレスレットの所定の使用可能な長さと関係のある固定点の所定の位置を形成するようにしたことを特徴とする中留に関する。
【００１６】
これらの特徴がある結果、本発明の調整装置は、ブレスレットを着用した際にブレスレットの下に隠れるため、簡素な構造と組み合わせた極めて簡易に製造できる。
【００１７】
概して、各々の場所は、有利には、穴で規定することができ、この穴は、ループに構成され、突起はこの穴と部分的に係合することができる。
【００１８】
このように、突起を１つの場所または他の場所に挿入するようにするか、あるいはこのようにする代わりに、ループを貫通する穴で各々の場所を形成し、突起を、この場所のいずれかを貫通するねじと協働するように構成したねじ足の形状にすることができる。
【００１９】
突起をループと組み合わせるこれらの構造により、単純に突起を抜いてからこの突起を別の場所に挿入するだけで、ブレスレットの長さを調整することが容易になる。
【００２０】
さらに、上記の特徴により、本発明は、好適な実施例で、新たな技術的問題に対処している。
【００２１】
実際、三つ折れ式バックルを有する中留は公知のものであり、この場合、第２のストリップは２つの突起を有し、第２の突起が、これに対応するブレスレットの駒を第１の突起から距離を置いてこのストリップに当接させて保持し、このようにして、ブレスレットの駒の中留に対する全体的な保持を向上させている。
【００２２】
仏国特許出願第２７１６７７８Ａ１号には、このタイプの中留が開示されているが、この中留には、２つの突起の間のスペースが設計によって規定されていることに起因する欠点がある。しかし、市販のブレスレットのどれもが、穴と穴との間のピッチが同じわけではない。このため、使用者がブレスレットを交換したいとき、穴のピッチが整数であり、このピッチが２つの突起の間の距離に一致する新しいブレスレットを必ず使用しなければならず、さもないと、ブレスレットを中留と組み合わせることができなくなる。
【００２３】
前述したように、本発明による中留は、ループが実質的にブレスレットの長手方向に備えた突起と同列に並んだ追加の突起を備えることができる。
【００２４】
したがって、第１の突起の位置を変更するという可能性は、第１の突起と追加の突起との間の間隙を変更できるということであり、これによって突起を様々なピッチでブレスレットに合わせることができる。このように、この中留によって、有利には、前述した先行技術の中留よりも多くの市販のブレスレットを使用することができることである。
【００２５】
さらに、概して、第１のストリップは、ブレスレットの使用可能な長さを調整するための追加の装置であって、ループに対する固定位置を調整するように構成した装置を備えるように構成することができる。
【００２６】
この場合、調整装置は、固定部材を有するフレームであって、ブレスレットの長手方向に沿ったいくつかの位置の間を動くことのできるフレームを備えさせることができる。
【００２７】
本発明のその他の特徴および利点は、非限定的な例として挙げた添付した図面を参照して記載した好適な実施形態についての以下の詳細な説明を読めば、より明らかになるであろう。
【図面の簡単な説明】
【００２８】
【図１】本発明の実施形態によるブレスレットの中留の全体斜視図であり、中留が閉まっている状態を第１の側から見た図である。
【図２】図１の中留を第２の側から見た斜視図である。
【図３】図１の中留の展開斜視図である。
【図４】図１の中留の長手方向に沿って断面した断面図である。
【図５】図１の中留の細部の断面図である。
【発明を実施するための形態】
【００２９】
非限定的に図示した本中留は、本発明の好適な実施形態である。さらに詳細には、この中留１は、三つ折れ式バックルを有するタイプのものであり、時計のブレスレットまたはリストバンドを閉めるためのものである。
【００３０】
図１から図３からよくわかるように、中留１は、非限定的に示したスリーブ７と結合しているピン６を介して、第２のストリップ４にヒンジ式に取り付けられた第１のストリップ２を備えている。各々のストリップは、ブレスレットの長手方向に細長い形状であり、着用者の手首の形状にフィットしやすいようにやや湾曲している。
【００３１】
第１のストリップ２は、２つの棒材８を備え、この棒材は、ピン６側にあるそれぞれの端部で互いに接触した状態に構成され、各棒材は、切り欠き部を有し、当該棒材が、棒材の長さの大部分にわたって互いに接触しないように構成されている。
【００３２】
各々の棒材８は、ピン６から最も遠い棒材の端部近傍に延長部１０を有し、この延長部は、ブレスレットの長手方向に対して垂直方向に延びてプッシャーを形成し、図３に見えるように、中留をロック解除するための制御部材を形成している。
【００３３】
さらに、第１のストリップ２の自由端は、ブレスレットの使用可能な長さを調整するための調整装置１２を支持し、この調整装置は、中留１と結合するように構成されている。
【００３４】
調整装置１２は、カバー１４を備え、このカバーは、側壁１８を支持する上壁１６を有する。側壁１８は、ブレスレットの駒を固定する棒材２０の一方の端部を従来の方法で収容するための２つの穴を備えている。
【００３５】
第２のストリップ４は、横架部２４を介して中央領域で一体化された２つのアーム２２を備えている。アーム２２は、ブレスレットの駒のループ２８を有する屈曲部２６から延び、このループは、アーム２２の全体方向に沿って移動して、ブレスレットの駒に対する凹部を形成している。
【００３６】
ループ２８は、複数の穴３０を有し、この穴は、互いに規則的に間隔を隔てて並び、突起３２を挿入でき、この突起は、ブレスレットの穴と嵌合して、当該ブレスレットを中留１に固定する点を形成するようになっている。このため、穴３０は、ループ２８に突起３２を配置できる可能性のある場所に形成して、ブレスレットを中留に固定する点の位置を変更し、これによって着用時のブレスレット長さを変更し、このとき中留は、ブレスレットを固定するための単一の突起を有する。
【００３７】
突起３２は、この場合、ねじ足の形状であり、穴３０を貫通して配置されたねじ３３と結合して、突起がループ２８と組み合うように構成されている。有利には、この突起３２は、円形ではない周縁部を介して穴３０に部分的に嵌合し、この周縁部によって、突起を出し入れしやすくなる。
【００３８】
当然ながら、本発明の範囲を逸脱しないかぎり、突起をループに組み合わせるために他の同様の構造を検討してもよい。例を挙げると、各穴にねじを切り、突起にはこれに合うねじ山を設けて、穴の中に直接ねじ締めできるようにしてもよい。
【００３９】
各屈曲部２６は、ブレスレットの駒が中留１に設置された時点でこの駒の保持を向上させるための小舌部３４を有する。横架部２４は、任意に取り付ける追加の突起３６を有し、この突起は、ブレスレットの他の１つの穴に嵌合して、ブレスレットの中留への保持をさらに向上させるようにしている。
【００４０】
突起３２は、１つの穴３０または別の穴の中に配置されて、当該突起と追加の突起３６との間のスペースを形成することができ、このスペースは、ブレスレットの駒に構成される整数の穴のピッチと一致する。
【００４１】
実際、市販のブレスレットのどれもが、穴同士のピッチが必ず同じであるわけではない。このため、使用者がブレスレットを交換したい場合、新しいブレスレットのピッチが古いブレスレットのピッチと異なっていれば、使用者は、ループ２８にある突起３２の位置を変更して、突起３２と突起３６との間のスペースを新しいブレスレットの複数のピッチに合わせることができ、その結果、各突起をブレスレットの穴うちの１つに嵌合させることができる。
【００４２】
この容易な操作には、単純にドライバを使用して突起３２を抜き、後で挿入する必要があるだけである点に気づくであろう。
【００４３】
第２のストリップ４のアーム２２同士の間のスペースは、中留１が閉状態のときに第１のストリップ２を公知の方法で収容するための凹部を形成するものである。
【００４４】
中留を閉状態に保持するために、従来のロック手段を設ける。棒材８の外側のエッジは、プッシャー１０の近傍に厚くなった部分３８を備え、この部分は、第２のストリップ４の内側のエッジと凹部で摩擦によって協働する。特に、第２のストリップの内側の各エッジは、窪み４０を有し、この凹部に、これに対応する第１のストリップ２の厚くなった部分が、中留を閉じたときに係合する。各々の棒材８に設けられた切り欠き部は、スペースを解放し、中留をロックする際、またはプッシャー１０を作動させて厚くなった部分３８を窪み４０から解放して中留を開ける際に、両棒材が弾性変形できるようにする。
【００４５】
欧州特許出願第０９１３１０６０Ａ１号には、このタイプの中留が詳細に開示されており、当業者は必要に応じてこれを参照することができる。
【００４６】
各プッシャー１０は、ブレスレットの使用可能な長さを調整するための装置の施錠部４２から延びている。
【００４７】
各施錠部４２は、プレート４４を備え、このプレートは、ブレスレットの長手方向を向いたスロット４６を有するとともに、このスロットの両端に２つの切り込み部４８を有する。
【００４８】
この施錠部４２は、中間部材５２を収容するための凹部５０を両施錠部の間に形成するような形状である。隆起部５３は、施錠部４２上に構成されて中間部材を保持する。
【００４９】
中間部材５２の第１の機能は、ばね５４の第１の端部に対する支持面を備えることであり、このばねの第２の端部は、これに対応するプレート４４に当接しており、これらのばねは、施錠部４２を閉状態に保持するように構成されている。
【００５０】
中間部材の第２の機能は、調整装置の構造上の安定性を向上させるためのスペーサの役割を果たすことである。
【００５１】
実際、図３から、調整装置のフレームは、２つのねじ５８を用いてカバー１４の上壁１６に固定された下壁５６を備えていることがわかる。また、上壁１６および中間部材５２は、それぞれの支持面を有し、下壁５６は、この支持面に当接して構成され、これによって、対応するアセンブリの安定性を向上させている。
【００５２】
ねじ５８は、スロット４６を貫通して構成されている。そのため、施錠部４２は、下壁５６と上壁１６との間に構成され、スロット４６がねじ５８と協働することによって、ここに収まる。
【００５３】
さらに、中間部材５２は、可能性のある様々な調整の構成を間欠送りするためのボールキー６４を有する。
【００５４】
次に、調整装置１２の操作を図５を参照して説明していく。
【００５５】
図４は、中留１の長手方向に沿って断面した断面図を示している。
【００５６】
突起３２をループ２８に組み合わせた様子を図４に明確に示したほか、突起３２がブレスレットの長手方向に並ぶ様々な場所３０を埋めて、これに対応するブレスレットの駒の中留１に対する様々な固定点を形成することができる様々な位置を示している。
【００５７】
図示した実施形態では、中留１は、突起３２と結合しているブレスレットの駒と同じ駒にある他の１つの穴と協働するための追加の突起３６を備え、当該突起３２は、ループ２８の３つの場所３０が形成する可能性のある３つの位置の間を移動して、中留と結合するブレスレットの穴のピッチに応じて、２つの突起３２と３６との間のスペースの値を変更することができる。
【００５８】
調整装置１２によって、ブレスレットの使用可能な長さを調整することができる。
【００５９】
図４は、ボールキー６４がどのようにカバー１４の上壁１６と協働して、中留１の可能性のある様々な調整位置を間欠送りするのかということも、よりよく示している。窪み６６は、上壁１６に構成されてボールキー６４と協働して様々な位置を間欠送りする。
【００６０】
中留１は、図４では長構成で示されている。カバー１４を図の左に向かって動かせば、ブレスレット（図示せず）は短くなる。
【００６１】
図５は、中間で切断した調整装置１２の断面図を示し、この装置がどのように動作するのかをわかりやすく示している。
【００６２】
中間部材５２は、小舌部６８を有し、この小舌部は、施錠部４２に作用して施錠部を閉状態に保持するばね５４の第１の端部に対する２つの支持面を形成する。
【００６３】
プッシャー１０を解放するとき、休止の形状である棒材８がばね５４の作用により支えられて休止形状になることで、各施錠部４２を閉状態に相当する遠方位置に保持する。
【００６４】
この構成では、各々のねじ５８は、一方の切り込み部４８に位置し、フレームは、施錠部４２に対してブレスレットの長手方向に移動できない。
【００６５】
プッシャー１０を作動させると、施錠部４２は、互いに向かって移動して、開状態に変化する。
【００６６】
両切り込み部４８は、この動作過程で入れ替わり、その結果、ねじ５８は、スロット４６の軸上に位置し、これによって、スロット沿いにスライドすることが可能になり、必要に応じて一方の切り込み部４８または他の一方の切り込み部に対面する位置に来る。このように、使用者がプッシャー１０を作動させて施錠部４２を開状態に設定すると、この使用者は、カバー１４を操作してブレスレットの長手方向に沿って移動させ、ブレスレットの使用可能な長さを変更することができる。ねじ５８が再び一方の切り込み部４８に対面したとき、使用者によるプッシャー１０への作用がない場合、ばね５４の弾性とばねの作用が同時に起こることで、棒材８は休止形状に戻る。この作用によって施錠部４２が閉状態に戻り、これによって、下壁５６およびねじ５８と結合しているカバー１６を備えている調整部材がロックされる。
【００６７】
本明細書から、本発明の中留は、動かすことのできる突起を備えていて、中留に突起が１つしかない場合にブレスレットの使用可能な長さを調整するか、あるいは突起が２つある場合にこの２つの突起同士の間の距離を調整することがわかる。この突起の製造および操作は簡易なものであり、これによって使用者は、必要なときに容易に中留を調整できる。
【００６８】
この手順の記載は、非限定的な説明として特定の実施形態を記載しようとするものであり、本発明は、これまで記載した特定の特徴、例えば詳細に図示し記載した形状、またはその形状が中留をロックするために協働する動作などの実装に限定されるものではない。
【００６９】
当業者は、本発明の範囲を逸脱しないかぎり、本開示の内容を自らの個々の要件に適応させるにあたり、また、特に時計用の中留を実装するにあたり、特に何ら困難に遭遇することはないであろう。ここで留意すべきは、例えば、本明細書で図示し説明したものとは異なる構造の三つ折れ式バックルの設計に本教示を適応させるにあたり、当業者は特に何ら困難を伴うことはないであろうということである。
【００７０】
さらに、本発明による中留は、調整装置１２を用いてブレスレットの使用可能な長さを調整するための、突起用の３つの場所３０の使用法、あるいは２つの位置の使用法に限定されるものではない。実際、当業者は、可能な調整位置数をより多く有する中留を実装するために本教示を適応させる際でも、何ら困難に遭遇することはないであろう。
【００７１】
同じように、第２の突起３６を横架部２４と組み合わせるためのいくつかの可能性のある場所を、ブレスレットの長手方向に実質的に一列に配置して設けることができ、これにより、２つの突起を動かすことによってブレスレットの使用可能な長さを調整するための装置を提供するとともに、本発明の範囲を逸脱しないかぎり、中留と組み合わせるブレスレットのピッチに応じて、該突起同士の間のスペースを調節する可能性を維持する。
【符号の説明】
【００７２】
１  中留
２  第１のストリップ
４  第２のストリップ
６  ピン
７  スリーブ
８  棒材
１０  プッシャー
１２  調整装置
１４  カバー
１６  上壁
１８  側壁
２０  棒材
２２  アーム
２４  横架部
２６  屈曲部
２８  ループ
３０  穴
３２  突起
３３  ねじ
３４  小舌部
３６  追加の突起
３８  厚くなった部分
４０、６６  窪み
４２  施錠部
４４  プレート
４６  スロット
４８  切り込み部
５０  凹部
５２  中間部材
５３  隆起部
５４  ばね
５６  下壁
５８  ねじ
６４  ボールキー
６６  窪み
６８  小舌部
【図１】
2014108363.tif 000003
【図２】
2014108363.tif 000004
【図３】
2014108363.tif 000005
【図４】
2014108363.tif 000006
【図５】
2014108363.tif 000007